(57)【要約】【課題】投稿された記事の添付ファイルの中身の閲覧を容易にする。【解決手段】電子掲示板制御装置１−２は、端末装置１−１から投稿された記事の添付ファイルのファイル形式を判別するファイル形式判別手段と、判別されたファイル形式に応じた所定の単位で添付ファイルを分割する添付ファイル分割手段と、添付ファイルの分割された単位毎に要約情報を生成する要約情報生成手段と、添付ファイルの要約情報の一覧を要求した端末装置１−１に対して生成した要約情報の一覧画面を送信する要約情報出力手段とを有する。【選択図】        図１
2004355255.tif 000002
【特許請求の範囲】
【請求項１】
端末装置から通信ネットワークを介して記事と添付ファイルの投稿を受け付ける電子掲示板の制御方法において、
端末装置から投稿された記事の添付ファイルのファイル形式を判別するファイル形式判別手順と、
前記判別されたファイル形式に応じた所定の単位で前記添付ファイルを分割する添付ファイル分割手順と、
前記添付ファイルの分割された単位毎に要約情報を生成する要約情報生成手順と、
前記添付ファイルの要約情報の一覧を要求した端末装置に対して前記生成した要約情報の一覧画面を送信する要約情報出力手順とを備えることを特徴とする電子掲示板制御方法。
【請求項２】
請求項１記載の電子掲示板制御方法において、
前記一覧画面の送信先である送信先端末装置からの投稿要求に応じて、前記一覧画面上で前記要約情報に付記された注釈を記事と見なし、この注釈が付記された要約情報を添付ファイルと見なして、前記投稿された記事に対する前記送信先端末装置からの再投稿を受け付ける再投稿手順を備えることを特徴とする電子掲示板制御方法。
【請求項３】
端末装置から通信ネットワークを介して記事と添付ファイルの投稿を受け付ける電子掲示板の制御装置において、
端末装置から投稿された記事の添付ファイルのファイル形式を判別するファイル形式判別手段と、
前記判別されたファイル形式に応じた所定の単位で前記添付ファイルを分割する添付ファイル分割手段と、
前記添付ファイルの分割された単位毎に要約情報を生成する要約情報生成手段と、
前記添付ファイルの要約情報の一覧を要求した端末装置に対して前記生成した要約情報の一覧画面を送信する要約情報出力手段とを有することを特徴とする電子掲示板制御装置。
【請求項４】
請求項３記載の電子掲示板制御装置において、
前記一覧画面の送信先である送信先端末装置からの投稿要求に応じて、前記一覧画面上で前記要約情報に付記された注釈を記事と見なし、この注釈が付記された要約情報を添付ファイルと見なして、前記投稿された記事に対する前記送信先端末装置からの再投稿を受け付ける再投稿手段を有することを特徴とする電子掲示板制御装置。
【請求項５】
端末装置から通信ネットワークを介して記事と添付ファイルの投稿を受け付ける電子掲示板の制御装置としてコンピュータを動作させる電子掲示板制御プログラムであって、
端末装置から投稿された記事の添付ファイルのファイル形式を判別するファイル形式判別手順と、
前記判別されたファイル形式に応じた所定の単位で前記添付ファイルを分割する添付ファイル分割手順と、
前記添付ファイルの分割された単位毎に要約情報を生成する要約情報生成手順と、
前記添付ファイルの要約情報の一覧を要求した端末装置に対して前記生成した要約情報の一覧画面を送信する要約情報出力手順とをコンピュータに実行させることを特徴とする電子掲示板制御プログラム。
【請求項６】
請求項５記載の電子掲示板制御プログラムにおいて、
前記一覧画面の送信先である送信先端末装置からの投稿要求に応じて、前記一覧画面上で前記要約情報に付記された注釈を記事と見なし、この注釈が付記された要約情報を添付ファイルと見なして、前記投稿された記事に対する前記送信先端末装置からの再投稿を受け付ける再投稿手順をコンピュータに実行させることを特徴とする電子掲示板制御プログラム。
【請求項７】
請求項５または６記載の電子掲示板制御プログラムを記録したことを特徴とする記録媒体。
【発明の詳細な説明】
【０００１】
【発明の属する技術分野】
本発明は、インターネットやイントラネットあるいはエクストラネット等のコンピュータネットワークを利用した情報共有、情報交換または情報管理等を行うための電子掲示板の制御方法、制御装置、プログラムおよび記録媒体に関するものである。
【０００２】
【従来の技術】
従来の電子掲示板システムでは、ユーザが記事を投稿するときに任意のファイルを添付ファイルとして添付し、記事と関連付けて投稿することができた。また、投稿された記事に対し添付ファイルは文書の種別を表すアイコンや、ファイル名、画像ファイルの場合の要約情報として縮小画像をユーザに提示することができた（例えば、非特許文献１参照）。なお、出願人は、本明細書に記載した先行技術文献情報で特定される先行技術文献以外には、本発明に関連する先行技術文献を出願時までに発見するには至らなかった。
【０００３】
【非特許文献１】
“電子掲示板システム（Ｂｕｌｌｅｔｉｎ  Ｂｏａｒｄ  Ｍｅｓｓａｇｅ  Ｓｙｓｔｅｍｓ  ）”，［ｏｎｌｉｎｅ］，ＫｅｎｔＷｅｂ，ＢＢＳのコーナー，［平成１５年３月２６日検索］，インターネット＜ｈｔｔｐ：／／ｗｗｗ．ｋｅｎｔ−ｗｅｂ．ｃｏｍ／ｂｂｓ／ｉｎｄｅｘ．ｈｔｍｌ＞
【０００４】
【発明が解決しようとする課題】
しかしながら、従来の電子掲示板システムでは、全体を代表するアイコン形式で添付ファイルを表示するため、ユーザは添付ファイルを一度ダウンロードして中身を閲覧しないと添付ファイルの中身について知ることができないという問題点があった。
さらに、従来の電子掲示板システムでは、ユーザが各添付ファイルの中身について注釈を付けるときには、注釈を付けたい部分を切り出した別の添付ファイルを作成するか、あるいは「添付ファイルの３頁目」というように注釈を付ける箇所を間接的に指定する必要があり、添付ファイルの中の特定の内容について直接議論することが難しいという問題点があった。
【０００５】
本発明は、上記課題を解決するためになされたもので、投稿された記事の添付ファイルの中身を容易に閲覧することができる電子掲示板制御方法、制御装置、プログラムおよび記録媒体を提供することを目的とする。
また、本発明は、添付ファイルの中の特定の内容について直接議論することを容易にする電子掲示板制御方法、制御装置、プログラムおよび記録媒体を提供することを目的とする。
【０００６】
【課題を解決するための手段】
本発明は、端末装置から通信ネットワークを介して記事と添付ファイルの投稿を受け付ける電子掲示板の制御方法において、端末装置から投稿された記事の添付ファイルのファイル形式を判別するファイル形式判別手順と、前記判別されたファイル形式に応じた所定の単位で前記添付ファイルを分割する添付ファイル分割手順と、前記添付ファイルの分割された単位毎に要約情報を生成する要約情報生成手順と、前記添付ファイルの要約情報の一覧を要求した端末装置に対して前記生成した要約情報の一覧画面を送信する要約情報出力手順とを備えるものである。本発明では、添付ファイルのファイル形式をファイル形式判別手順で判別することにより、ファイル形式に応じた適切な単位で添付ファイルを分割することが可能になる。添付ファイル分割手順によって添付ファイルを意味のある適当な単位に分割し、要約情報生成手順によってそれぞれの要約情報を抽出することにより、添付ファイルの中身を要約情報の一覧として端末装置に送信することが可能になる。
また、本発明の電子掲示板制御方法の１構成例は、前記一覧画面の送信先である送信先端末装置からの投稿要求に応じて、前記一覧画面上で前記要約情報に付記された注釈を記事と見なし、この注釈が付記された要約情報を添付ファイルと見なして、前記投稿された記事に対する前記送信先端末装置からの再投稿を受け付ける再投稿手順を備えるものである。
【０００７】
また、本発明は、端末装置から通信ネットワークを介して記事と添付ファイルの投稿を受け付ける電子掲示板の制御装置において、端末装置から投稿された記事の添付ファイルのファイル形式を判別するファイル形式判別手段と、前記判別されたファイル形式に応じた所定の単位で前記添付ファイルを分割する添付ファイル分割手段と、前記添付ファイルの分割された単位毎に要約情報を生成する要約情報生成手段と、前記添付ファイルの要約情報の一覧を要求した端末装置に対して前記生成した要約情報の一覧画面を送信する要約情報出力手段とを有するものである。
また、本発明の電子掲示板制御装置の１構成例は、前記一覧画面の送信先である送信先端末装置からの投稿要求に応じて、前記一覧画面上で前記要約情報に付記された注釈を記事と見なし、この注釈が付記された要約情報を添付ファイルと見なして、前記投稿された記事に対する前記送信先端末装置からの再投稿を受け付ける再投稿手段を有するものである。
【０００８】
また、本発明は、端末装置から通信ネットワークを介して記事と添付ファイルの投稿を受け付ける電子掲示板の制御装置としてコンピュータを動作させる電子掲示板制御プログラムであって、端末装置から投稿された記事の添付ファイルのファイル形式を判別するファイル形式判別手順と、前記判別されたファイル形式に応じた所定の単位で前記添付ファイルを分割する添付ファイル分割手順と、前記添付ファイルの分割された単位毎に要約情報を生成する要約情報生成手順と、前記添付ファイルの要約情報の一覧を要求した端末装置に対して前記生成した要約情報の一覧画面を送信する要約情報出力手順とをコンピュータに実行させるようにしたものである。
また、本発明の電子掲示板制御プログラムの１構成例は、前記一覧画面の送信先である送信先端末装置からの投稿要求に応じて、前記一覧画面上で前記要約情報に付記された注釈を記事と見なし、この注釈が付記された要約情報を添付ファイルと見なして、前記投稿された記事に対する前記送信先端末装置からの再投稿を受け付ける再投稿手順をコンピュータに実行させるようにしたものである。
また、本発明の記録媒体は電子掲示板制御プログラムを記録したものである。
【０００９】
【発明の実施の形態】
［第１の実施の形態］
以下、本発明の実施の形態について図面を参照して詳細に説明する。図１は本発明の第１の実施の形態となる電子掲示板システムの構成を示すブロック図である。本実施の形態の電子掲示板システムは、電子掲示板に記事を投稿したり、電子掲示板に投稿された記事を閲覧したりするユーザの端末装置１−１と、端末装置１−１に電子掲示板の機能を提供する電子掲示板制御装置１−２と、端末装置１−１と電子掲示板制御装置１−２とを接続する通信ネットワーク１−１３とから構成される。
【００１０】
電子掲示板制御装置１−２は、通信ネットワーク１−１３を介して端末装置１−１と通信する入出力部１−３と、端末装置１−１からの投稿を受信する投稿受信部１−４と、投稿された記事から添付ファイルを取り出す添付ファイル抽出部１−５と、添付ファイル抽出部１−５によって取り出された添付ファイルのファイル形式を判別するファイル形式判別部１−６と、投稿された記事を格納するための記事データベース（記事ＤＢ）１−７と、添付ファイルを格納するための添付ファイルデータベース（添付ファイルＤＢ）１−８と、添付ファイルの要約情報の一覧を端末装置１−１に送信し、端末装置１−１からの再投稿を受け付ける要約情報表示／再投稿部１−９と、添付ファイルの分割を制御するファイル解析制御部１−１０と、添付ファイルを分割して、分割した単位毎に要約情報を生成する添付ファイル分割部１−１１と、添付ファイルの要約情報を格納するための要約情報データベース（要約情報ＤＢ）１−１２とを有する。
【００１１】
添付ファイル分割部１−１１は、本実施の形態の電子掲示板システムで扱うファイル形式の種類の数だけ存在する。また、添付ファイル分割部１−１１は、添付ファイルの分割された単位毎に要約情報を生成する要約情報生成手段を構成している。要約情報表示／再投稿部１−９は、添付ファイルの要約情報の一覧を要求した端末装置１−１に対して生成した要約情報の一覧画面を送信する要約情報出力手段と、投稿された記事に対する再投稿を受け付ける再投稿手段とを構成している。通信ネットワーク１−１３としては、インターネット、イントラネットまたはエクストラネットなどがある。
【００１２】
以下、本実施の形態の電子掲示板システムの動作について説明する。図２はユーザが電子掲示板に記事を投稿するときの電子掲示板システムの動作を示すフローチャートである。最初に、ユーザは、電子掲示板システムに投稿する記事とこの記事に添付する添付ファイルとを端末装置１−１に入力し、入力結果を端末装置１−１の画面で閲覧する。ユーザが記事の投稿を要求すると、端末装置１−１に入力された電文（記事と添付ファイル）は、通信ネットワーク１−１３を介して電子掲示板制御装置１−２に送られる。
【００１３】
電子掲示板制御装置１−２の入出力部１−３は、端末装置１−１から通信ネットワーク１−１３を介して電文を受信し、この電文がユーザからの投稿であることを確認すると、受信した電文を投稿受信部１−４に渡す。投稿受信部１−４は、受信した電文中の記事に対して固有の識別子（以下、記事ＩＤと呼ぶ）を付与する（図２ステップ２−１）。
【００１４】
投稿受信部１−４は、受信した電文中に添付ファイルがある場合（ステップ２−２においてＹＥＳ）、添付ファイル抽出部１−５によって電文中から添付ファイルを抽出し（ステップ２−３）、抽出した添付ファイルに固有の識別子（以下、添付ファイルＩＤと呼ぶ）を付与し、抽出した添付ファイルをファイル形式判別部１−６に渡す。また、投稿受信部１−４は、記事本文と、この記事に付与した記事ＩＤと、投稿時間と、投稿者など、電子掲示板にかかわる情報を記事ＤＢ１−７に格納する。
【００１５】
ファイル形式判別部１−６は、投稿受信部１−４から渡された添付ファイルのファイル形式を判別すると共に、添付ファイル分割部１−１１で分割可能なファイル形式か否かを判定し、判別したファイル形式を示す識別子（以下、ファイル形式ＩＤと呼ぶ）と、分割可能なファイル形式か否かを示す情報とを投稿受信部１−４に返す（ステップ２−４）。
【００１６】
投稿受信部１−４は、前記記事ＩＤと、添付ファイルと、この添付ファイルに付与した添付ファイルＩＤと、ファイル形式判別部１−６から渡されたファイル形式ＩＤとを対応付けて添付ファイルＤＢ１−８に格納する。そして、投稿受信部１−４は、添付ファイルが添付ファイル分割部１−１１で分割可能なファイル形式であると判定された場合（ステップ２−５においてＹＥＳ）、添付ファイルＤＢ１−８に格納した記事ＩＤと添付ファイルＩＤとファイル形式ＩＤと添付ファイルとをファイル解析制御部１−１０に渡す。
【００１７】
ファイル解析制御部１−１０は、投稿受信部１−４から渡された添付ファイルのファイル形式をファイル形式ＩＤに応じて判別し、複数の添付ファイル分割部１−１１のうち判別したファイル形式に対応する添付ファイル分割部１−１１に添付ファイルを渡す。
【００１８】
ファイル解析制御部１−１０から添付ファイルを渡された添付ファイル分割部１−１１は、添付ファイルを後述する所定の単位に分割し（ステップ２−６）、分割した単位毎に固有の識別子（以下、要約情報ＩＤと呼ぶ）を付与し、また分割した単位を要約した要約情報を単位毎に生成し、生成した要約情報ＩＤと要約情報とをファイル解析制御部１−１０に渡す（ステップ２−７）。
【００１９】
ファイル解析制御部１−１０は、投稿受信部１−４から渡された記事ＩＤと添付ファイルＩＤとファイル形式ＩＤと、添付ファイル分割部１−１１から渡された要約情報ＩＤと要約情報とを対応付けて要約情報ＤＢ１−１２に格納する。要約情報ＤＢ１−１２に要約情報と共に添付ファイルＩＤと記事ＩＤとを格納しておくことにより、要約情報を識別子として展開前の添付ファイルと展開前の記事とを参照することができる。
【００２０】
そして、投稿受信部１−４は、投稿の結果をユーザの端末装置１−１に通知する（ステップ２−８）。ステップ２−１〜２−７の処理に問題がない場合は、投稿完了を通知する画面が端末装置１−１に表示され、問題が生じた場合は、エラー発生を通知する画面が表示される。また、ステップ２−２において判定ＮＯとなったときは、記事の受信に成功すれば、投稿完了を通知する画面が端末装置１−１に表示され、受信に失敗すれば、エラー発生を通知する画面が表示される。
ステップ２−５において判定ＮＯとなったときは、エラー発生を通知する画面が表示される。
【００２１】
図３はユーザが要約情報の一覧を要求したときの電子掲示板システムの動作を示すフローチャートである。電子掲示板に投稿された記事を閲覧したいユーザが端末装置１−１から電子掲示板制御装置１−２にアクセスすると、電子掲示板制御装置１−２の入出力部１−３は、端末装置１−１に記事閲覧画面を送信する。ユーザは、端末装置１−１に表示された記事閲覧画面上で所望の記事を選択し、選択した記事の要約情報の一覧を要求する。
【００２２】
電子掲示板制御装置１−２の要約情報表示／再投稿部１−９は、端末装置１−１から要約情報の一覧要求を受信すると（図３ステップ３−１）、ユーザが選択した記事に対応する記事ＩＤを記事ＤＢ１−７から取り出し（図３ステップ３−２）、この記事ＩＤに対応する添付ファイルが添付ファイルＤＢ１−８に格納されている場合には（ステップ３−３においてＹＥＳ）、この添付ファイルに対応する添付ファイルＩＤを添付ファイルＤＢ１−８から取り出す（ステップ３−４）。
【００２３】
さらに、要約情報表示／再投稿部１−９は、添付ファイルＤＢ１−８から取り出した添付ファイルＩＤに対応する要約情報が要約情報ＤＢ１−１２に格納されている場合には（ステップ３−５においてＹＥＳ）、要約情報を要約情報ＤＢ１−１２から取り出し（ステップ３−６）、取り出した要約情報を配置した添付ファイル展開表示画面（要約情報の一覧画面）を生成して、要求元の端末装置１−１に送信する（ステップ３−７）。
【００２４】
こうして、ユーザは、電子掲示板に投稿された記事の添付ファイルの要約情報を閲覧することができる。
また、要約情報を閲覧したユーザは、添付ファイル展開表示画面上で任意の要約情報に対してコメント（注釈）をつけることができる。要約情報にコメントを付記した状態でユーザが投稿を要求すると、電子掲示板制御装置１−２は、要約情報に付記されたコメントを記事と見なし、このコメントが付記された要約情報を添付ファイルと見なして、再投稿を受け付ける。この再投稿の詳細については後述する。
【００２５】
［第２の実施の形態］
次に、本発明の第２の実施の形態について説明する。図４は本発明の第２の実施の形態となる電子掲示板システムの構成を示すブロック図であり、図１と同一の構成には同一の符号を付してある。本実施の形態は、第１の実施の形態の具体例を示すものである。
【００２６】
図４の例では、端末装置１−１は、通信ネットワーク１−１３に接続してＷｅｂページを表示するＷｅｂブラウザ機能を備え、入出力部１−３としては、ＷＷＷ（Ｗｏｒｌｄ  Ｗｉｄｅ  Ｗｅｂ）サーバを用いている。添付ファイル分割部１−１１は、動画ファイル分割部１−１１ａ，１−１１ｂと、プレゼンファイル分割部１−１１ｃと、音声ファイル分割部１−１１ｄと、ＣＡＤファイル分割部１−１１ｅと、ワープロファイル分割部１−１１ｆと、表計算ファイル分割部１−１１ｇとから構成される。動画ファイル分割部１−１１ａはファイル形式Ａの動画像ファイルに対応し、動画ファイル分割部１−１１ｂはファイル形式Ｂの動画像ファイルに対応している。
【００２７】
以下、図４の具体例で電子掲示板システムの動作を説明する。まず、ユーザは、電子掲示板システムに投稿する記事を端末装置１−１に入力すると共に、記事に添付する添付ファイルとして形式Ａの動画像ファイルを入力する。ユーザが記事の投稿を要求すると、端末装置１−１に入力された電文（記事と添付ファイル）は、端末装置１−１から通信ネットワーク１−１３を介して電子掲示板制御装置１−２に送られる。
【００２８】
電子掲示板制御装置１−２の入出力部１−３は、通信ネットワーク１−１３を介して受信した電文を投稿受信部１−４に渡す。投稿受信部１−４は、受信した電文から記事を抽出し、抽出した記事に対して記事ＩＤを付与する（図２ステップ２−１）。続いて、投稿受信部１−４は、添付ファイル抽出部１−５によって電文中から添付ファイルを抽出し（ステップ２−３）、抽出した添付ファイルに対して添付ファイルＩＤを付与し、抽出した添付ファイルをファイル形式判別部１−６に渡す。
【００２９】
ファイル形式判別部１−６は、投稿受信部１−４から渡された添付ファイルのファイル形式を判別し、判別したファイル形式を示すファイル形式ＩＤと、添付ファイル分割部１−１１で分割可能なファイル形式か否かを示す情報とを投稿受信部１−４に返す（ステップ２−４）。ここでは、形式Ａの動画像ファイルを示すファイル形式ＩＤが返却される。
【００３０】
投稿受信部１−４は、添付ファイルが分割可能なファイル形式であると判定された場合、記事ＩＤと添付ファイルＩＤとファイル形式ＩＤと添付ファイルとをファイル解析制御部１−１０に渡す。
【００３１】
ファイル解析制御部１−１０は、投稿受信部１−４から渡された添付ファイルのファイル形式をファイル形式ＩＤに応じて判別し、複数の添付ファイル分割部１−１１のうち判別したファイル形式に対応する添付ファイル分割部１−１１に添付ファイルを渡す。添付ファイルは形式Ａの動画像ファイルなので、動画ファイル分割部１−１１ａに渡される。
【００３２】
動画ファイル分割部１−１１ａは、形式Ａの動画像ファイルを所定の単位毎、例えば動画像のカット点毎、一定時間毎、音声の無音部分毎あるいはテロップの有無毎に分割し（ステップ２−６）、分割した単位毎に要約情報ＩＤを付与し、分割した各単位の要約情報として各単位の先頭フレーム画像からサムネイル画像を単位毎に抽出し、要約情報ＩＤと要約情報（サムネイル画像）とをファイル解析制御部１−１０に渡す（ステップ２−７）。
【００３３】
図５は投稿時に端末装置１−１に表示される投稿画面の例を示す図である。電子掲示板に記事を投稿したいユーザが端末装置１−１から電子掲示板制御装置１−２にアクセスすると、電子掲示板制御装置１−２の入出力部１−３は、端末装置１−１に図５のような投稿画面１０１を送信する。
【００３４】
ユーザは、端末装置１−１を操作して、投稿画面１０１上で自身の氏名（投稿者名）１０２と投稿のタイトル１０３と記事本文１０４とを入力すると共に、添付ファイルを指定する。添付ファイルは、投稿画面１０１上で「参照」と表示されたボタン１０５をクリックすることにより、端末装置１−１の記憶装置に格納されているファイルの中から指定することができる。投稿画面１０１上にはユーザが指定した添付ファイルのファイル名１０６が表示される。そして、ユーザが投稿画面１０１上で「投稿」と表示されたボタン１０７をクリックすると、ユーザが記事の投稿を要求したことになり、投稿者名とタイトルと記事本文と添付ファイルとが端末装置１−１から電子掲示板制御装置１−２に送られる。
【００３５】
図６は記事閲覧時に端末装置１−１に表示される記事閲覧画面の例を示す図である。電子掲示板に投稿された記事を閲覧したいユーザが端末装置１−１から電子掲示板制御装置１−２にアクセスすると、電子掲示板制御装置１−２の入出力部１−３は、端末装置１−１に図６のような記事閲覧画面２０１を送信する。記事閲覧画面２０１上では、記事のタイトル２０２と記事本文２０３とが表示されると共に、添付ファイルがアイコン２０４とファイル名２０５の形で表示される。
【００３６】
ユーザが端末装置１−１を操作して記事閲覧画面２０１上で「展開」と表示されたボタン２０６をクリックすると、ユーザが要約情報の一覧を要求したことになり、電子掲示板制御装置１−２の要約情報表示／再投稿部１−９は、ユーザが選択した記事に対応する記事ＩＤを記事ＤＢ１−７から取り出し（図３ステップ３−２）、この記事ＩＤに対応する添付ファイルＩＤを添付ファイルＤＢ１−８から取り出す（ステップ３−４）。
【００３７】
続いて、要約情報表示／再投稿部１−９は、添付ファイルＤＢ１−８から取り出した添付ファイルＩＤに対応する要約情報を要約情報ＤＢ１−１２から取り出し（ステップ３−６）、取り出した要約情報を配置した添付ファイル展開表示画面（要約情報の一覧画面）を生成し、この添付ファイル展開表示画面を入出力部１−３を介して要求元の端末装置１−１に送信する（ステップ３−７）。
【００３８】
図７は添付ファイル展開時に端末装置１−１に表示される添付ファイル展開表示画面の例を示す図である。添付ファイル展開表示画面３０１には、ユーザが選択した記事のタイトル３０２と、記事本文３０３と、添付ファイルのアイコン３０４と、添付ファイルのファイル名３０５と、添付ファイルを分割した各単位の要約情報（ここではサムネイル画像）３０６とが表示される。
【００３９】
ユーザが端末装置１−１を操作して、要約情報３０６の右横の欄にコメント３０７を付記し、このコメント３０７を付記した要約情報３０６の左横のチェックボックス３０８をオンにした後、「投稿」と表示されたボタン３０９をクリックすると、投稿済の記事に対する再投稿をユーザが要求したことになり、要約情報３０６とこの要約情報３０６に付記されたコメント３０７とからなる電文が端末装置１−１から電子掲示板制御装置１−２に送られる。
【００４０】
電子掲示板制御装置１−２の要約情報表示／再投稿部１−９は、要約情報に付記されたコメントを記事と見なし、コメントが付記された要約情報を添付ファイルと見なして、端末装置１−１からの再投稿を受け付ける。そして、要約情報表示／再投稿部１−９は、再投稿された記事（コメント）を投稿済の記事（要約情報の生成元となった添付ファイルに対応する記事）および記事ＩＤと対応付けて記事ＤＢ１−７に格納し、再投稿された添付ファイル（要約情報）を投稿済の添付ファイル（要約情報の生成元となった添付ファイル）および添付ファイルＩＤと対応付けて添付ファイルＤＢ１−８に格納する。
【００４１】
なお、端末装置１−１から電子掲示板制御装置１−２に送信されるのは、再投稿の有無を示すチェックボックス３０８がオン（すなわち、再投稿有り）になっている要約情報３０６とコメント３０７である。したがって、複数のチェックボックス３０８がオンになっている場合には、要約情報３０６とコメント３０７の組も複数の組が順次送信されることになる。
【００４２】
図８は、コメント追加後に端末装置１−１に表示される記事閲覧画面の例を示す図である。再投稿後にユーザが端末装置１−１から電子掲示板制御装置１−２にアクセスすると、電子掲示板制御装置１−２の入出力部１−３は、端末装置１−１に図８のような記事閲覧画面２０１ａを送信する。記事閲覧画面２０１ａには、記事のタイトル２０２と記事本文２０３と添付ファイルのアイコン２０４と添付ファイルのファイル名２０５とボタン２０６とが表示されると共に、再投稿された記事（コメント）２０７と添付ファイル（要約情報）２０８とが表示される。以上のようにして、要約情報を閲覧したユーザは、任意の要約情報に対してコメントをつけることができる。
【００４３】
図９、図１０、図１１、図１２はそれぞれ投稿画面、記事閲覧画面、添付ファイル展開表示画面、コメント追加後の記事閲覧画面の他の例を示す図である。ここでは、オフィスなどのイントラネットでの情報共有を目的としたときの例を示しており、記事に添付される添付ファイルがプレゼン（スライド）ファイルの場合を示している。
【００４４】
ユーザが記事と添付ファイルを投稿し、ファイル形式判別部１−６が添付ファイルのファイル形式を判別するところまでは形式Ａの動画像ファイルの場合の動作と同じである。ここでは、プレゼン（スライド）ファイルを示すファイル形式ＩＤが投稿受信部１−４に返却される。
【００４５】
ファイル解析制御部１−１０は、投稿受信部１−４から渡された添付ファイルのファイル形式をファイル形式ＩＤに応じて判別し、添付ファイルをプレゼンファイル分割部１−１１ｃに渡す。
プレゼンファイル分割部１−１１ｃは、プレゼン（スライド）ファイルを所定の単位毎、例えば各スライド毎に分割し（ステップ２−６）、分割した単位毎に要約情報ＩＤを付与し、分割した各単位の要約情報として各スライドの縮小画像とスライドのタイトル文字列とをスライド毎に抽出し、要約情報ＩＤと要約情報（縮小画像およびタイトル文字列）とをファイル解析制御部１−１０に渡す（ステップ２−７）。
【００４６】
次に、電子掲示板に投稿された記事を閲覧したいユーザが端末装置１−１から電子掲示板制御装置１−２にアクセスすると、電子掲示板制御装置１−２の入出力部１−３は、端末装置１−１に図１０のような記事閲覧画面２０１を送信する。形式Ａの動画像ファイルの場合と同様に、図１１の添付ファイル展開表示画面３０１上でコメント３０７を追加することができる。コメント追加後の記事閲覧画面２０１ａは図１２のようになる。
【００４７】
以上の動作では、添付ファイルが形式Ａの動画像ファイルまたはプレゼン（スライド）ファイルの場合について説明したが、添付ファイルが音声ファイルの場合、ファイル解析制御部１−１０は、投稿受信部１−４から渡された音声ファイルを音声ファイル分割部１−１１ｄに渡す。
音声ファイル分割部１−１１ｄは、音声ファイルを所定の単位毎、例えば無音部分毎または一定時間毎に分割し、分割した音声ファイルそのものを各単位の要約情報とする。
【００４８】
なお、音声ファイルの場合には、要約情報、すなわち分割した音声ファイルを表すアイコンが記事閲覧画面あるいは添付ファイル展開表示画面で表示され、このアイコンがユーザによって選択されたときに、要約情報が電子掲示板制御装置１−２から送信されて端末装置１−１で再生されるようにすればよい。
【００４９】
添付ファイルがＣＡＤファイルの場合、ファイル解析制御部１−１０は、ＣＡＤファイルをＣＡＤファイル分割部１−１１ｅに渡す。
ＣＡＤファイル分割部１−１１ｅは、ＣＡＤファイルを所定の単位毎、例えば図面毎に分割し、分割した各単位の要約情報として各図面の縮小画像と図面のタイトルとを抽出する。
【００５０】
添付ファイルがワープロファイルの場合、ファイル解析制御部１−１０は、ワープロファイルをワープロファイル分割部１−１１ｆに渡す。
ワープロファイル分割部１−１１ｆは、ワープロファイルを所定の単位毎、例えば章毎に分割し、分割した各単位の要約情報として各章の見出しを抽出する。
【００５１】
添付ファイルが表計算ファイルの場合、ファイル解析制御部１−１０は、表計算ファイルを表計算ファイル分割部１−１１ｇに渡す。
表計算ファイル分割部１−１１ｇは、表計算ファイルを所定の単位毎、例えばシート毎に分割し、分割した各単位の要約情報として各シートの縮小画像とシートのタイトルとを抽出する。
【００５２】
なお、本実施の形態の電子掲示板制御装置１−２の構成はコンピュータで実現することができる。このコンピュータは、中央処理装置（ＣＰＵ）と、リードオンリメモリ（ＲＯＭ）と、ランダムアクセスメモリ（ＲＡＭ）と、フレキシブルディスク装置等の補助記憶装置と、ハードディスク装置等の大容量の外部記憶装置と、表示装置やキーボード、補助記憶装置、外部記憶装置および通信ネットワーク１−１３とのインタフェースをとるための回路などを備えた周知の構成のものでよい。
【００５３】
コンピュータを電子掲示板制御装置１−２として機能させるための電子掲示板制御プログラムは、フレキシブルディスク、ＣＤ−ＲＯＭ、メモリカード等の記録媒体に記録された状態で提供される。この記録媒体をコンピュータの補助記憶装置に挿入すると、媒体に記録されたプログラムが読み取られる。そして、ＣＰＵは、読み込んだプログラムをＲＡＭあるいは外部記憶装置に書き込み、このプログラムに従って第１、第２の実施の形態で説明したような処理を実行する。
【００５４】
【発明の効果】
本発明によれば、端末装置から投稿された記事の添付ファイルのファイル形式を判別し、判別されたファイル形式に応じた所定の単位で添付ファイルを分割し、添付ファイルの分割された単位毎に要約情報を生成し、添付ファイルの要約情報の一覧を要求した端末装置に対して生成した要約情報の一覧画面を送信するようにしたので、電子掲示板に対して添付ファイル付の記事を投稿したユーザ本人あるいは他のユーザは、添付ファイルの中身を要約情報として一覧することができる。その結果、投稿された記事の添付ファイルの中身を従来よりも容易に閲覧することができる。
【００５５】
また、一覧画面の送信先である送信先端末装置からの投稿要求に応じて、一覧画面上で要約情報に付記された注釈を記事と見なし、この注釈が付記された要約情報を添付ファイルと見なして、投稿された記事に対する送信先端末装置からの再投稿を受け付けるようにしたので、要約情報を閲覧したユーザは、要約情報の各々について注釈を付記することができ、その注釈を記事として投稿することができる。要約された情報は記事と添付ファイルの形で投稿できるため、それを閲覧した他のユーザはそれに対してさらに注釈をつけて議論を深めることができる。その結果、添付ファイルの中の特定の内容について直接議論することを容易にすることができる。
【図面の簡単な説明】
【図１】本発明の第１の実施の形態となる電子掲示板システムの構成を示すブロック図である。
【図２】本発明の第１の実施の形態においてユーザが電子掲示板に記事を投稿するときの電子掲示板システムの動作を示すフローチャートである。
【図３】本発明の第１の実施の形態においてユーザが要約情報の一覧を要求したときの電子掲示板システムの動作を示すフローチャートである。
【図４】本発明の第２の実施の形態となる電子掲示板システムの構成を示すブロック図である。
【図５】本発明の第２の実施の形態における投稿画面の例を示す図である。
【図６】本発明の第２の実施の形態における記事閲覧画面の例を示す図である。
【図７】本発明の第２の実施の形態における添付ファイル展開表示画面の例を示す図である。
【図８】本発明の第２の実施の形態におけるコメント追加後の記事閲覧画面の例を示す図である。
【図９】本発明の第２の実施の形態における投稿画面の他の例を示す図である。
【図１０】本発明の第２の実施の形態における記事閲覧画面の他の例を示す図である。
【図１１】本発明の第２の実施の形態における添付ファイル展開表示画面の他の例を示す図である。
【図１２】本発明の第２の実施の形態におけるコメント追加後の記事閲覧画面の他の例を示す図である。
【符号の説明】
１−１…端末装置、１−２…電子掲示板制御装置、１−３…入出力部、１−４…投稿受信部、１−５…添付ファイル抽出部、１−６…ファイル形式判別部、１−７…記事データベース、１−８…添付ファイルデータベース、１−９…要約情報表示／再投稿部、１−１０…ファイル解析制御部、１−１１…添付ファイル分割部、１−１１ａ、１−１１ｂ…動画ファイル分割部、１−１１ｃ…プレゼンファイル分割部、１−１１ｄ…音声ファイル分割部、１−１１ｅ…ＣＡＤファイル分割部、１−１１ｆ…ワープロファイル分割部、１−１１ｇ…表計算ファイル分割部、１−１２…要約情報データベース、１−１３…通信ネットワーク。
【図１】
2004355255.tif 000003
【図２】
2004355255.tif 000004
【図３】
2004355255.tif 000005
【図４】
2004355255.tif 000006
【図５】
2004355255.tif 000007
【図６】
2004355255.tif 000008
【図７】
2004355255.tif 000009
【図８】
2004355255.tif 000010
【図９】
2004355255.tif 000011
【図１０】
2004355255.tif 000012
【図１１】
2004355255.tif 000013
【図１２】
2004355255.tif 000014